【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
支持体と、電荷発生層と、表面層である電荷輸送層と、をこの順に有する電子写真感光体を製造する電子写真感光体の製造方法であって、
該製造方法が、電荷輸送層用塗布液の塗膜を形成し、該塗膜を乾燥させて該電荷輸送層を形成する工程を有し、
該電荷輸送層用塗布液が、
電荷輸送物質（α）、
式（１Ａ）で示される構造単位を有するポリカーボネート樹脂、および式（１Ｂ）で示される構造単位を有するポリエステル樹脂からなる群より選択される少なくとも１種の樹脂（β）、
芳香族炭化水素溶剤（γ）、および
該（γ）より１気圧における沸点が高い化合物（δ）
を含有し、かつ、
末端にシロキサン構造を有するポリエステル樹脂および末端にシロキサン構造を有するポリカーボネート樹脂を含有せず、
２３℃および１気圧の環境下における、該電荷輸送物質（α）の該芳香族炭化水素溶剤（γ）１００ｇに対する溶解度が、２３℃および１気圧の環境下における、該電荷輸送物質（α）の該化合物（δ）１００ｇに対する溶解度より大きいことを特徴とする電子写真感光体の製造方法。
【化１】
2014160238.tif 000001
（式（１Ａ）中、Ｒ１〜Ｒ４は、それぞれ独立に、水素原子、メチル基、またはフェニル基を示す。Ｘ１は、単結合、酸素原子、シクロヘキシリデン基、または式（Ａ）で示される２価の基を示す。
式（１Ｂ）中、Ｒ１１〜Ｒ１４は、それぞれ独立に、水素原子、メチル基、またはフェニル基を示す。Ｘ２は、単結合、酸素原子、シクロヘキシリデン基、または式（Ａ）で示される２価の基を示す。また、Ｙ１はｍ−フェニレン基、ｐ−フェニレン基、シクロヘキシレン基、または式（Ｂ）で示される２価の基を示す。）
【化２】
2014160238.tif 000002
（式（Ａ）中、Ｒ２１およびＲ２２は、それぞれ独立に、水素原子、メチル基、エチル基またはフェニル基を示す。
式（Ｂ）中、Ｒ３１〜Ｒ３８は、それぞれ独立に、水素原子、メチル基、またはフェニル基を示す。Ｘ３は、単結合、酸素原子、硫黄原子またはメチレン基を示す。）
【請求項２】
更に、前記電荷輸送物質（α）及び前記樹脂（β）を、前記芳香族炭化水素溶剤（γ）及び前記化合物（δ）に溶解させることで、電荷輸送層用塗布液を用意する工程を有する請求項１に記載の電子写真感光体の製造方法。
【請求項３】
前記化合物（δ）が、ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、シクロヘキサノン、炭酸エチレン、炭酸プロピレン、ニトロベンゼン、Ｎ−メチルピロリドン、安息香酸メチル、安息香酸エチル、酢酸ベンジル、３−エトキシプロピオン酸エチル、アセトフェノン、サリチル酸メチル、フタル酸ジメチル、およびスルホランからなる群より選択される少なくとも１種である請求項１又は２に記載の電子写真感光体の製造方法。
【請求項４】
前記芳香族炭化水素溶剤（γ）が、トルエン、キシレン、エチルベンゼンおよびメシチレンからなる群より選択される少なくとも１種である請求項１〜３のいずれか１項に記載の電子写真感光体の製造方法。
【請求項５】
前記芳香族炭化水素溶剤（γ）が、トルエン、キシレンおよびメシチレンからなる群より選択される少なくとも１種である請求項１〜３のいずれか１項に記載の電子写真感光体の製造方法。
【請求項６】
前記電荷輸送層用塗布液における、前記芳香族炭化水素溶剤（γ）の含有量が、前記化合物（δ）の含有量よりも多いことを特徴とする請求項１〜５のいずれか１項に記載の電子写真感光体の製造方法。
【請求項７】
前記電荷輸送層用塗布液が、さらに
１気圧における沸点が３５℃〜７０℃である化合物（ε）
を含有する請求項１〜６のいずれか１項に記載の電子写真感光体の製造方法。
【請求項８】
前記化合物（ε）が、アセトン、ジエチルエーテル、酢酸メチル、テトラヒドロフラン、およびジメトキシメタンからなる群より選択される少なくとも１種である請求項７に記載の電子写真感光体の製造方法。
【請求項９】
前記電荷輸送層用塗布液における、前記芳香族炭化水素溶剤（γ）、前記化合物（δ）、および前記化合物（ε）の合計した含有量に対する、前記芳香族炭化水素溶剤（γ）および前記化合物（δ）の合計の含有量が、５０質量％以上９０質量％以下である請求項７または８に記載の電子写真感光体の製造方法。
【請求項１０】
前記電荷輸送物質（α）が、トリアリールアミン化合物、ヒドラゾン化合物、スチリル化合物、スチルベン化合物、ピラゾリン化合物、オキサゾール化合物、チアゾール化合物、トリアリールメタン化合物、およびエナミン化合物からなる群より選択される少なくとも１種である請求項１〜９のいずれか１項に記載の電子写真感光体の製造方法。
【請求項１１】
前記電荷輸送物質（α）が、式（２）で示される化合物、式（３）で示される化合物、および式（４）で示される化合物からなる群より選択される少なくとも１種である請求項１０に記載の電子写真感光体の製造方法。
【化３】
2014160238.tif 000003
（式（２）中、Ａｒ２１およびＡｒ２２は、それぞれ独立にフェニル基、またはメチル基で置換されたフェニル基を示す。式（３）中、Ａｒ２３〜Ａｒ２８は、それぞれ独立にフェニル基、またはメチル基で置換されたフェニル基を示す。式（４）中、Ａｒ３１、Ａｒ３２、Ａｒ３５およびＡｒ３６は、それぞれ独立にフェニル基、またはメチル基で置換されたフェニル基を示し、Ａｒ３３およびＡｒ３４はそれぞれ独立にフェニレン基、またはメチル基で置換されたフェニレン基を示す。）
【請求項１２】
前記塗膜を乾燥させる乾燥温度が、１００℃以上１４０℃以下である請求項１〜１１のいずれか１項に記載の電子写真感光体の製造方法。
【手続補正２】
【補正対象書類名】明細書
【補正対象項目名】０００９
【補正方法】変更
【補正の内容】
【０００９】
本発明は、支持体と、電荷発生層と、表面層である電荷輸送層と、をこの順に有する電子写真感光体を製造する電子写真感光体の製造方法であって、
該製造方法が、電荷輸送層用塗布液の塗膜を形成し、該塗膜を乾燥させて該電荷輸送層を形成する工程を有し、
該電荷輸送層用塗布液が、
電荷輸送物質（α）、
式（１Ａ）で示される構造単位を有するポリカーボネート樹脂、および式（１Ｂ）で示される構造単位を有するポリエステル樹脂からなる群より選択される少なくとも１種の樹脂（β）、
芳香族炭化水素溶剤（γ）、および
該（γ）より１気圧における沸点が高い化合物（δ）
を含有し、かつ、
末端にシロキサン構造を有するポリエステル樹脂および末端にシロキサン構造を有するポリカーボネート樹脂を含有せず、
２３℃および１気圧の環境下における、該電荷輸送物質（α）の該芳香族炭化水素溶剤（γ）１００ｇに対する溶解度が、２３℃および１気圧の環境下における、該電荷輸送物質（α）の該化合物（δ）１００ｇに対する溶解度より大きいことを特徴とする電子写真感光体の製造方法に関する。
【化１】
2014160238.tif 000004
（式（１Ａ）中、Ｒ１〜Ｒ４は、それぞれ独立に、水素原子、メチル基、またはフェニル基を示す。Ｘ１は、単結合、酸素原子、シクロヘキシリデン基、または式（Ａ）で示される２価の基を示す。
式（１Ｂ）中、Ｒ１１〜Ｒ１４は、それぞれ独立に、水素原子、メチル基、またはフェニル基を示す。Ｘ２は、単結合、酸素原子、シクロヘキシリデン基、または、式（Ａ）で示される２価の基を示す。また、Ｙ１はｍ−フェニレン基、ｐ−フェニレン基、シクロヘキシレン基、または式（Ｂ）で示される２価の基を示す。）
【化２】
2014160238.tif 000005
（式（Ａ）中、Ｒ２１およびＲ２２は、それぞれ独立に、水素原子、メチル基、エチル基またはフェニル基を示す。
式（Ｂ）中、Ｒ３１〜Ｒ３８は、それぞれ独立に、水素原子、メチル基、またはフェニル基を示す。Ｘ３は、単結合、酸素原子、硫黄原子またはメチレン基を示す。）
【手続補正３】
【補正対象書類名】明細書
【補正対象項目名】００１３
【補正方法】変更
【補正の内容】
【００１３】
本発明の電子写真感光体の製造方法は、支持体と、電荷発生層と、表面層である電荷輸送層と、をこの順に有する電子写真感光体を製造する方法である。本発明の電子写真感光体の製造方法は、電荷輸送層用塗布液の塗膜を形成し、該塗膜を乾燥させて該電荷輸送層を形成する工程（電荷輸送層形成工程）を有する方法である。そして、電荷輸送層用塗布液は、電荷輸送物質（α）、式（１Ａ）で示される構造単位を有するポリカーボネート樹脂、および式（１Ｂ）で示される構造単位を有するポリエステル樹脂からなる群より選択される少なくとも１種の樹脂（β）、芳香族炭化水素溶剤（γ）および該（γ）より１気圧における沸点が高い化合物（δ）を含有する。そして、電荷輸送層用塗布液は、末端にシロキサン構造を有するポリエステル樹脂および末端にシロキサン構造を有するポリカーボネート樹脂を含有せず、２３℃および１気圧の環境下における、該電荷輸送物質（α）の該芳香族炭化水素溶剤（γ）１００ｇに対する溶解度が、２３℃および１気圧の環境下における、該電荷輸送物質（α）の該化合物（δ）１００ｇに対する溶解度より大きい。
【手続補正４】
【補正対象書類名】明細書
【補正対象項目名】００１４
【補正方法】削除
【補正の内容】